(57)【要約】 【課題】  入力された楽音信号に歪を付与し適切な楽音を形成することができるディストーション効果装置を提供すること。【解決手段】  前処理部２０を構成するプリフィルタ２２により所望の周波数特性が付与され乗算器２４によりゲインが付与される。レベル検出部６２は、入力された楽音信号のエンベロープレベルを検出し、制御部７０は、そのレベルに応じて、プリフィルタ２２の周波数特性、乗算器２４のゲインおよび効果部５０の効果の態様を制御する。具体的には、楽音信号のレベルが大きいときは、プリフィルタ２２の周波数特性を低域および高域をカットする特性とし、乗算器２４には、大きな値の係数を与え、周波数帯域が制限された楽音信号を大きく増幅する。    【選択図】    図２
2005250357.tif 000002
【特許請求の範囲】
【請求項１】
楽音信号を入力する入力手段と、
その入力手段に入力された楽音信号に周波数特性とゲインとを付与する前処理部と、
前記入力手段と前記前処理部の出力との間の楽音信号のレベルを検出するレベル検出手段と、
そのレベル検出手段により検出されたレベルに応じて前記前処理部が付与する周波数特性およびゲインを制御する制御手段と、
前記前処理部より出力された楽音信号に歪を付与する歪付与手段とを備えていることを特徴とするディストーション効果装置。
【請求項２】
前記前処理部は、前記入力手段に入力された楽音信号に第１の周波数特性と第１のゲインとを付与する第１の処理手段と、前記入力手段に入力された楽音信号に前記第１の周波数特性とは異なる第２の周波数特性と前記第１のゲインとは異なる第２のゲインとを付与する第２の処理手段と、前記第１の処理手段の出力と前記第２の処理手段の出力とを混合する混合手段とを備え、前記制御手段は、前記レベル検出手段により検出されたレベルに応じて前記混合手段の混合割合を制御するものであることを特徴とする請求項１に記載のディストーション効果装置。
【請求項３】
前記レベル検出手段は、前記前処理部より出力された楽音信号のレベルを検出するものであることを特徴とする請求項１または２に記載のディストーション効果装置。
【請求項４】
前記歪付与手段により歪が付与された楽音信号に効果を付与する効果付与部を更に備え、前記制御手段は、更に前記レベル検出手段により検出されたレベルに応じて前記効果付与部が付与する効果の態様を制御するものであることを特徴とする請求項１から３のいずれかに記載のディストーション効果装置。
【請求項５】
楽音信号を入力する入力手段と、
その入力手段に入力された楽音信号に周波数特性を付与する前処理部と、
その前処理部より出力された楽音信号に歪を付与する歪付与手段と、
その歪付与手段により歪が付与された楽音信号に効果を付与する効果付与部と、
前記入力手段と前記前処理部の出力との間の楽音信号のレベルを検出するレベル検出手段と、
そのレベル検出手段により検出されたレベルに応じて前記前処理部が付与する周波数特性と前記効果付与部が付与する効果の態様とを制御する制御手段とを備えていることを特徴とするディストーション効果装置。
【請求項６】
前記前処理部は、前記入力手段に入力された楽音信号に第１の周波数特性を付与する第１の処理手段と、前記入力手段に入力された楽音信号に前記第１の周波数特性とは異なる第２の周波数特性を付与する第２の処理手段と、前記第１の処理手段の出力と前記第２の処理手段の出力とを混合する混合手段とを備え、前記制御手段は、前記レベル検出手段により検出されたレベルに応じて前記混合手段の混合割合を制御するものであることを特徴とする請求項５に記載のディストーション効果装置。
【請求項７】
前記効果付与部は、第１の効果を付与する第１の効果処理手段と前記第１の効果とは異なる第２の効果を付与する第２の効果処理手段とを有し、
前記制御手段は、前記検出手段により検出されたレベルに応じて、前記第１の効果処理手段により付与される第１の効果と前記第２の効果処理手段により付与される第２の効果との割合を制御するものであることを特徴とする請求項４から６のいずれかに記載のディストーション効果装置。
【発明の詳細な説明】
【技術分野】
【０００１】
本発明は、入力された楽音信号にディストーション効果を付与するディストーション効果装置に関する。
【背景技術】
【０００２】
従来より、入力された楽音信号を増幅し波形をクリップさせることにより歪ませるディストーション効果装置が知られている。特許第３１４９４５９号公報（特許文献１）には、入力楽音信号にディストーション処理を施した信号と入力楽音信号との混合割合を入力楽音信号のレベルに応じて変化させることにより、入力楽音信号のレベルが大きいときは、ディストーション信号の割合が多い楽音を出力し、入力楽音信号のレベルが小さいときは、入力楽音信号の割合が多い楽音を出力するディストーション効果装置が開示されている。
【特許文献１】特許第３１４９４５９号公報
【発明の開示】
【発明が解決しようとする課題】
【０００３】
しかしながら、特許文献１に記載されているディストーション効果装置は、入力楽音信号と、既にハイゲイン（高利得）の歪が与えられたディストーション信号との混合割合を変えているだけなので、例え入力楽音信号のレベルが小さくてもハイゲインの歪が与えられたディストーション信号が所定の割合で混合されてしまい、完全に歪のないクリーンな音は出力されない。即ち、ダイナミックレンジが狭く表現力に欠けるという第１の問題点がある。また、その混合割合を入力楽音信号のレベルにより制御しているので、入力楽音信号のレベルが変化すると、出力信号にディストーション信号の割合が多い状態と入力楽音信号（所謂生音）の割合が多い状態との間を即座に移行してしまい、安定した出力信号による演奏が難しいという第２の問題点がある。また、所定の混合割合で入力楽音信号とディストーション信号とが混合された出力信号に適した効果が付与できないという第３の問題点がある。
【０００４】
本発明は、上述した問題点を解決するためになされたものであり、入力された楽音信号に歪を付与し適切な楽音を形成することができるディストーション効果装置を提供することを目的とする。
【課題を解決するための手段】
【０００５】
この目的を達成するために、請求項１記載のディストーション効果装置は、楽音信号を入力する入力手段と、その入力手段に入力された楽音信号に周波数特性とゲインとを付与する前処理部と、前記入力手段と前記前処理部の出力との間の楽音信号のレベルを検出するレベル検出手段と、そのレベル検出手段により検出されたレベルに応じて前記前処理部が付与する周波数特性およびゲインを制御する制御手段と、前記前処理部より出力された楽音信号に歪を付与する歪付与手段とを備えている。
【０００６】
請求項２に記載のディストーション効果装置は、請求項１記載のディストーション効果装置において、前記前処理部は、前記入力手段に入力された楽音信号に第１の周波数特性と第１のゲインとを付与する第１の処理手段と、前記入力手段に入力された楽音信号に前記第１の周波数特性とは異なる第２の周波数特性と前記第１のゲインとは異なる第２のゲインとを付与する第２の処理手段と、前記第１の処理手段の出力と前記第２の処理手段の出力とを混合する混合手段とを備え、前記制御手段は、前記レベル検出手段により検出されたレベルに応じて前記混合手段の混合割合を制御するものである。
【０００７】
請求項３に記載のディストーション効果装置は、請求項１または２に記載のディストーション効果装置において、前記レベル検出手段は、前記前処理部より出力された楽音信号のレベルを検出するものである。
【０００８】
請求項４に記載のディストーション効果装置は、請求項１から３のいずれかに記載のディストーション効果装置において、前記歪付与手段により歪が付与された楽音信号に効果を付与する効果付与部を更に備え、前記制御手段は、更に前記レベル検出手段により検出されたレベルに応じて前記効果付与部が付与する効果の態様を制御するものである。
【０００９】
請求項５に記載のディストーション効果装置は、楽音信号を入力する入力手段と、その入力手段に入力された楽音信号に周波数特性を付与する前処理部と、その前処理部より出力された楽音信号に歪を付与する歪付与手段と、その歪付与手段により歪が付与された楽音信号に効果を付与する効果付与部と、前記入力手段と前記前処理部の出力との間の楽音信号のレベルを検出するレベル検出手段と、そのレベル検出手段により検出されたレベルに応じて前記前処理部が付与する周波数特性と前記効果付与部が付与する効果の態様とを制御する制御手段とを備えている。
【００１０】
請求項６に記載のディストーション効果装置は、請求項５に記載のディストーション効果装置において、前記前処理部は、前記入力手段に入力された楽音信号に第１の周波数特性を付与する第１の処理手段と、前記入力手段に入力された楽音信号に前記第１の周波数特性とは異なる第２の周波数特性を付与する第２の処理手段と、前記第１の処理手段の出力と前記第２の処理手段の出力とを混合する混合手段とを備え、前記制御手段は、前記レベル検出手段により検出されたレベルに応じて前記混合手段の混合割合を制御するものである。
【００１１】
請求項７に記載のディストーション効果装置は、請求項４から６のいずれかに記載のディストーション効果装置において、前記効果付与部は、第１の効果を付与する第１の効果処理手段と前記第１の効果とは異なる第２の効果を付与する第２の効果処理手段とを有し、前記制御手段は、前記検出手段により検出されたレベルに応じて、前記第１の効果処理手段により付与される第１の効果と前記第２の効果処理手段により付与される第２の効果との割合を制御するものである。
【発明の効果】
【００１２】
請求項１記載のディストーション効果装置によれば、入力された楽音信号に周波数特性とゲインとを付与する前処理部を備え、入力された楽音信号等のレベルに応じて周波数特性とゲインとを制御してから歪を付与するので、前処理部により積極的に音作りをしながら、なおかつ入力された楽音信号等のレベルに応じて前処理部により付与されるゲイン差によってダイナミックレンジが拡大する。したがって、入力された楽音信号のレベル（例えばギターなどの場合には、弦を弾く強さに対応する）に応じて、ハイゲインの歪が掛ったディストーション音から歪の全くないクリーン音までダイナミックレンジが広くメリハリのある楽音を弾き分けることができるという効果があり、上記第１の問題点を解決することができる。
【００１３】
請求項２記載のディストーション効果装置によれば、請求項１記載のディストーション効果装置の奏する効果に加え、前処理部は、それぞれ付与する周波数特性とゲインとが異なる複数の処理手段により処理され、それらが混合されるので、簡単な構成でそれぞれの周波数特性を得ることができ、楽音信号のレベルに応じて周波数特性とゲインとを変化させることができるという効果がある。
【００１４】
請求項３記載のディストーション効果装置によれば、請求項１または２に記載のディストーション効果装置の奏する効果に加え、レベル検出手段は、前処理部より出力された楽音信号のレベルを検出するものであるので、楽音の出力信号を安定して維持することが容易になり、演奏しやすいという効果がある。すなわち、入力信号のレベルに応じてゲインを制御すると、即座にゲインが変化するが、ゲイン調節された後のレベルに応じてゲインを変化させると、ゲインが安定して変化しにくくなる。例えば、一度強く弾いてゲインが大きくなると、その大きいゲインがフィードバックされて、ゲインを大きくする方向に作用するので、多少弱く弾いても、ゲインが大きいままで維持される。これにより上記第２の問題点を解決することができる。
【００１５】
請求項４記載のディストーション効果装置によれば、請求項１から３のいずれかに記載のディストーション効果装置の奏する効果に加え、歪が付与された楽音信号に効果を付与する効果付与手段を更に備え、レベル検出手段により検出されたレベルに応じて効果の態様を制御するので、演奏の強さに応じた混合割合で入力楽音信号とディストーション信号とが混合された出力信号に、最適な効果を付与することができるという効果があり、上記第３の問題点を解決することができる。
【００１６】
請求項５記載のディストーション効果装置によれば、入力された楽音信号に周波数特性を付与する前処理部を備え、入力された楽音信号等のレベルに応じて周波数特性を付与し、その楽音信号の波形を歪ませ、その歪まされた楽音信号にレベルに応じた効果を付与するので、レベルに応じた周波数特性の歪が付与された楽音に最適な効果を付与することができるという効果があり、上記第３の問題点を解決することができる。
【００１７】
請求項６記載のディストーション効果装置によれば、請求項５に記載のディストーション効果装置の奏する効果に加え、前処理部は、それぞれ付与する周波数特性が異なる複数の処理手段により処理され、それらが混合されるので、簡単な構成でそれぞれの周波数特性を得ることができ、周波数特性を楽音信号のレベルに応じて変化させることができるという効果がある。
【００１８】
請求項７記載のディストーション効果装置によれば、請求項４から６のいずれかに記載のディストーション効果装置の奏する効果に加え、効果の種類が異なる複数の効果処理手段を備え、楽音信号のレベルに応じて複数の効果の割合を制御するので、レベルに応じて最適な周波数特性の歪が付与された楽音に最適な効果を付与することができるという効果がある。
【発明を実施するための最良の形態】
【００１９】
以下、本発明の好ましい実施例について、添付図面を参照して説明する。図１は、本発明のディストーション効果装置１のブロック図である。電気ギターのピックアップやマイクロフォンにより入力される楽音信号は、Ａ／Ｄ変換器１０により所定のサンプリング周波数（例えば４４．１ｋＨｚ）で標本化され、所定のビット数（例えば１６ビット）のデジタル信号に量子化されてＤＳＰ（デジタル信号処理プロセッサ）１１に供給される。
【００２０】
ＤＳＰ１１は、その楽音信号に各種信号処理を施しＤ／Ａ変換器１２に供給する。Ｄ／Ａ変換器１２は、供給されるデジタル信号をアナログ信号に変換して出力する。出力された楽音信号は、図示しないアンプ、スピーカ等により放音される。ＤＳＰ１１内には、図示しないプログラムを記憶するＲＯＭとプログラムやパラメータを一時記憶するＲＡＭが備えられている。
【００２１】
ＣＰＵ（中央処理装置）１３は、ＲＯＭ１４に記憶されたプログラムを実行し、一時記憶するＲＡＭ１５をワークエリアとして使用して、操作子１６により設定された値等に基づいてパラメータやＤＳＰ１１が実行する処理プログラム等を設定し、ＤＳＰ１１へ送信する。
【００２２】
図２は、ＤＳＰ１１における処理の第１の実施例を示すブロック図である。ＤＳＰ１１の入力部１８に入力された楽音信号は、前処理部２０を構成するプリフィルタ２２により所望の周波数特性が付与され乗算器２４によりゲインが付与される。プリフィルタ２２は、デジタルフィルタにより構成され、デジタルフィルタの各係数を変更することにより周波数特性を変化することができる。乗算器２４から出力された楽音信号は、次にクリップ処理部３０において、所定の振幅値以上の振幅が一定の振幅値となるように成形される。このことにより波形に歪が付与され、多くの倍音を含むことになる。次に、ポストフィルタ４０により、歪が付与された楽音信号に周波数特性が付与され、効果付与部５０において、所望の効果が付与されて出力される。
【００２３】
一方、入力部１８に入力された楽音信号および前処理部２０の出力信号は、それぞれ切り替えスイッチ６０の一端に入力され、そのいずれかが選択されて、レベル検出部６２に入力される。レベル検出部６２は、入力された楽音信号のエンベロープレベルを検出し、制御部７０は、そのレベルに応じて、プリフィルタ２２の周波数特性、乗算器２４のゲインおよび効果付与部５０の効果の態様を制御する。具体的には、レベル検出部６２で検出した楽音信号のレベルが大きいときは、プリフィルタ２２の周波数特性を低域および高域をカットする特性とし、後段のクリップ処理部３０により発生される倍音のうち、音を濁らせるような不要な倍音を制限しておく。
【００２４】
また、乗算器２４には、大きな値の係数を与え、周波数帯域が制限された楽音信号を大きく増幅して、クリップ処理部３０により深い歪が付与されるようにする。さらに、効果付与部５０には、深い歪のディストーション音に最適な効果の態様を設定する。
【００２５】
一方、レベル検出部６２で検出した楽音信号のレベルが小さいときは、プリフィルタ２２に、フラットな周波数特性を設定するか、むしろ低域および高域を少し持ち上げた周波数特性を設定する。乗算器２４には、比較的小さい係数を設定し、クリップ処理部３０により浅い歪が付与されるようにする。効果付与部５０には、浅い歪のクリーン音に最適な効果の態様を設定する。効果付与部５０において、効果の種類としてディレイを設定した場合には、楽音信号のレベルが大きいときディレイレベルを大きく、レベルが小さいときディレイレベルを小さく設定する。また、効果としてコーラスを設定した場合には、楽音信号のレベルが大きいときデプスを小さく、レベルが小さいときデプスを大きく設定する。なお、ポストフィルタ４０の周波数特性は、図４（ｃ）に示すように約２．５ｋＨｚをカットオフ周波数とする２次のローパスフィルタと、約１２５Ｈｚでピークをもつフィルタにより形成される特性である。
【００２６】
切り替えスイッチ６０を入力楽音の側に設定した場合には、入力楽音のレベルに応じてディストーション音とクリーン音との間を速やかに移行し、切り替えスイッチ６０を前処理部２０の出力側に設定した場合には、前処理部２０の出力レベルにより前処理部２０内の乗算器２４の係数が設定されるので、ディストーション音とクリーン音との間の移行が緩慢になり、安定した出力信号による演奏を行うことができる。この切り替えスイッチ６０は、ユーザが設定するようにしてもよいし、メーカで予めプリセットとしてフィルタや効果のパラメータと共に設定しておいてもよい。
【００２７】
図３は、第２の実施例を示す処理ブロック図である。第１の実施例と同じ部分には同じ部番を付している。前処理部２０は、プリフィルタＡ１００と乗算器Ａ１０２により構成される第１の処理手段と、プリフィルタＢ１０４と乗算器Ｂ１０６により構成される第２の処理手段と、これらの処理手段の出力が混合されるプリミキサ１０８により構成される。第１の処理手段は、歪を深く掛けるディストーション音を形成する設定であり、プリフィルタＡ１００の周波数特性は、図４（ａ）に示すように、カットオフ周波数を約２ｋＨｚとする２次のローパスフィルタとカットオフ周波数を約６６０Ｈｚとする１次のハイパスフィルタとカットオフ周波数を約３３０Ｈｚとする１次のハイパスフィルタとを組み合わせた特性である。
【００２８】
第２の処理手段は、歪のないクリーン音を形成する設定であり、プリフィルタＢ１０４の周波数特性は、図４（ｂ）に示すように、約１ｋＨｚ以上を３ｄＢ持ち上げ、約１６５Ｈｚ以下を６ｄＢ持ち上げるシェルビングフィルタにより形成される特性である。このように第２の処理手段で周波数特性を付与することにより、歪があまり付与されない場合の音色を積極的に形成することができる。
【００２９】
乗算器Ａ１０２にはゲインＡが、乗算器Ｂ１０６にはゲインＢがそれぞれ設定され、ゲインＡは、ゲインＢより充分大きい値が設定されている。これらのゲインを付与された信号は、プリミキサ１０８により、制御部７０からの制御信号である混合割合に応じた係数がそれぞれに乗じられて加算される。ゲインＡ、ゲインＢの値は、後述するように、ユーザが任意に設定できるようにしてもよい。
【００３０】
次に、前処理部２０の出力は、トータルゲイン部１１０により一定のゲインが与えられクリップ処理部３０ではレベルが所定値以下に制限されることで歪が付与され、ポストフィルタ４０により周波数特性が付与される。
【００３１】
また、トータルゲイン部１１０の出力は、切り替えスイッチ６０の一つの端子に入力され、他方の端子には入力楽音信号が直接入力されて、いずれか一方が選択される。切り替えスイッチ６０により選択された信号は、レベル検出部６２により、エンベロープレベルが検出される。制御部７０は、この検出されたレベルに基づいて、プリミキサ１０８および効果ミキサ１２４における混合割合を制御する。具体的には、レベル検出部６２が検出するレベルが大きい場合は、第１の処理手段の出力の割合を大きくし、レベル検出部６２が検出するレベルが小さい場合は、第２の処理手段の出力の割合を大きくする。
【００３２】
効果付与部５０は、効果処理手段Ａ１２０と効果処理手段Ｂ１２２と効果ミキサ１２４とにより構成される。一例として、効果処理手段Ａ１２０が付与する効果の種類は、ディレイ（または、リバーブ）を、効果処理手段Ｂ１２２が付与する効果の種類は、コーラスを設定し、レベル検出部６２が検出するレベルが大きい場合は、効果としてはディレイが多く付与され、レベル検出部６２が検出するレベルが小さい場合は、効果としてはコーラスが多く付与されるように制御部７０からの制御信号に従って効果ミキサ１２４が制御される。
【００３３】
したがって、レベル検出部６２が検出するレベルが大きい場合は、前処理部２０により深い歪みを付与するのに最適な周波数特性とゲインが付与され、クリップ処理部３０により深い歪みが付与され、効果付与部５０によりディレイ効果が多く付与される。一方、入力楽音信号のレベルが小さい場合は、前処理部２０により浅い歪みを付与するのに最適な周波数特性とゲインが付与され、クリップ処理部３０により浅い歪みが付与され、効果付与部５０によりコーラス効果が多く付与される。
【００３４】
図５に、効果付与部５０の詳細および変形例を示す。（ａ）は、効果ミキサ１２４の詳細を示すもので、効果処理手段Ａ１２０、効果処理手段Ｂ１２２それぞれの出力に乗算器を備え、一方の係数をｅとすれば、他方の係数を１−ｅとして乗算した後、加算するものである。
【００３５】
（ｂ）は、乗算器をそれぞれの効果処理手段の前に配置した例である。この場合には、特にディレイは、遅延メモリに波形が記憶されるので、混合割合が変更されて、ディレイからコーラスに切り替えられた場合に、ディレイの出力はすぐには無音とならず、自然な切り替えが行なわれる。
【００３６】
（ｃ）は、コーラスについては、乗算器が出力側に、ディレイについては、乗算器が入力側に設けられている。
【００３７】
図６は、ディストーション効果装置１の操作パネル図であり各種操作子１６が示されている。入力ジャック３００は、電気ギターや電子楽器からの出力信号を入力するものである。ゲインＡ３０２およびゲインＢ３０４は、図３に示す乗算器Ａ１０２と乗算器Ｂ１０６の係数を設定するものである。マスターボリューム３０６は、最終的に出力される楽音信号の音量を設定するもので、効果付与部５０の出力に図示しない乗算器が備えられ、その係数を設定するものである。コーラス３０８およびディレイ３２０は、効果付与部５０において付与する効果のパラメータを設定するもので、コーラス３０８ではコーラスのレートが、ディレイ３２０では、ディレイのディレイタイムが設定される。なお、効果処理手段Ａをリバーブとした場合には、残響時間を設定するものとしてもよい。
【００３８】
電源スイッチ３１０は、本ディストーション効果装置の電源を投入または切断するスイッチである。ベース３１２、ミドル３１４、トレブル３１６、プレゼンス３１８は、図２および図３には、図示しないが入力部１８と前処理部２０との間にイコライザが形成され、そのイコライザの周波数特性をユーザが任意に設定するためのノブである。フォーン３２２は、ヘッドホンジャックである。
【００３９】
以上、上記実施例に基づき本発明を説明したが、本発明は、上記実施例に何ら限定されるものでなく、本発明の趣旨を逸脱しない範囲内で種々の改良変形が可能であることは容易に推察できるものである。
【００４０】
例えば、上記実施例では、レベル検出部６２は、入力される楽音信号と前処理部２０の出力とのいずれかのレベルを検出するようにしたが、図２の前処理部２０のプリフィルタ２２の出力のレベルや図３のプリフィルタＡ１００やプリフィルタＢ１０４の出力レベル等を検出するようにしてもよい。請求項でいう「入力手段と前処理部の出力との間の楽音信号レベル」は、これらの点のいずれか、あるいは複数の点により検出されるレベルに対応している。
【００４１】
また、制御部７０は、レベル検出部６２により検出されたレベルによりポストフィルタ４０の周波数特性を変更するようにしてもよい。例えば、ポストフィルタをローパスフィルタとし、レベルが大きいときは、歪が深く、ローパスフィルタのカットオフ周波数をやや低く設定し、レベルが小さいときは、カットオフ周波数を高く設定する。
【００４２】
また、上記第２の実施例では、第１の処理手段と第２の処理手段の２つの処理手段の出力を混合するものとしたが、３以上の処理手段を備え、それらの出力を混合するものとしてもよい。
【００４３】
また、図６のパネルにおいて、乗算器Ａ１０２、乗算器Ｂ１０６の係数をそれぞれユーザが設定できるようにしたが、一方は固定値とし、他方を可変できるようにしてもよい。
【００４４】
また、第２の実施例では、トータルゲイン１１０は、固定の係数を乗算するものとしたが、ユーザにより設定する、あるいは、レベル検出部６２が検出したレベルに応じて変化するようにしてもよい。
【図面の簡単な説明】
【００４５】
【図１】本発明のディストーション効果装置のブロック図である。
【図２】第１の実施例のＤＳＰの処理構成を示すブロック図である。
【図３】第２の実施例の処理構成を示すブロック図である。
【図４】各フィルタの周波数特性を示す図である。
【図５】効果付与部の詳細および変形例を示す図である。
【図６】ディストーション効果装置のパネル図である。
【符号の説明】
【００４６】
１                  ディストーション効果装置
１１                ＤＳＰ
２０                前処理部
２２                プリフィルタ
２４                乗算器
３０                クリップ処理部（歪付与手段）
５０                効果付与部
６２                レベル検出部（レベル検出手段）
７０                制御部（制御手段）
１００              プリフィルタＡ
１０２              乗算器Ａ
１０４              プリフィルタＢ
１０６              乗算器Ｂ
１０８              プリミキサ（混合手段）
１２０              効果処理手段Ａ
１２２              効果処理手段Ｂ
１２４              効果ミキサ                                    
【図１】
2005250357.tif 000003
【図２】
2005250357.tif 000004
【図３】
2005250357.tif 000005
【図４】
2005250357.tif 000006
【図５】
2005250357.tif 000007
【図６】
2005250357.tif 000008